(57)【要約】【課題】電波環境や無線端末の移動状況に応じた的確で効率的な無線伝送路の選択を行い、良好な通信品質を広範なエリアで確立可能とする。【解決手段】主たる通信システムの通信エリア２０における中継局１２にアクセスして指令局１３ないし他の無線端末と無線通信を行う主たる通信モジュール１１５と、携帯電話網エリア２５の基地局１４にアクセスして指令局１３ないし他の無線端末と無線通信を行う補助通信モジュール１１６とを備える無線端末１１を制御する情報処理装置１００が、主たる通信モジュール１１５が出力した、通信エリア２０の圏内／圏外を示すデータを得て、当該データが通信エリア２０の圏外を示すものであった場合に、所定のタイマー１１４を始動し、当該タイマー１１４における所定時間の満了時点で、通信エリア２０の圏内／圏外を示すデータを主たる通信モジュール１１５から再度取得し、該当データが通信エリア２０の圏外を再び示すものであった場合に、補助通信モジュール１１６を用いて無線通信を実行する。【選択図】図２Ｂ
2015019121.tif 000002
【特許請求の範囲】
【請求項１】
主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御するシステムであって、
主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、該当データが前記通信エリアの圏外を再び示すものであった場合に、前記補助通信モジュールを用いて無線通信を実行する演算部を備えることを特徴とする移動通信制御システム。
【請求項２】
前記主たる通信モジュールが出力した、前記通信エリアの圏内／圏外を示すデータが、前記主たる通信モジュールが判定した前記通信エリアの圏内／圏外の判定結果、または、前記通信エリアにおける無線電波強度を示す電界強度値であることを特徴とする請求項１に記載の移動通信制御システム。
【請求項３】
前記演算部は、
前記タイマーにおける所定時間の満了時点で再度取得した、前記該当データが前記通信エリアの圏内を示すものであった場合、前記主たる通信モジュールから前記補助通信モジュールへの切換を行わずに、前記主たる通信モジュールのまま無線通信を実行するものであることを特徴とする請求項１または２に記載の移動通信制御システム。
【請求項４】
前記演算部は、
前記タイマーにおける所定時間の満了時点で再度取得した、前記該当データが前記通信エリアの圏外を示すもので、前記主たる通信モジュールから前記補助通信モジュールに切り換えて無線通信を実行した後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、使用する通信モジュールを、前記補助通信モジュールから前記主たる通信モジュールに復帰させて無線通信を実行するものであることを特徴とする請求項３に記載の移動通信制御システム。
【請求項５】
前記演算部は、
前記所定時間の満了時点で前記主たる通信モジュールから再度取得した、該当データが前記通信エリアの圏内を再び示すものであった場合に、前記補助通信モジュールを用いた携帯電話網での無線通信の通話終了を検知した時点で、以降使用する通信モジュールを前記補助通信モジュールから前記主たる通信モジュールに復帰させるものであることを特徴とする請求項４に記載の移動通信制御システム。
【請求項６】
前記演算部は、
前記所定時間の満了時点で前記主たる通信モジュールから再度取得した、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させるものであることを特徴とする請求項５に記載の移動通信制御システム。
【請求項７】
前記主たる通信モジュールが、ＭＣＡ通信エリアの中継局にアクセスして指令局ないし他の無線端末と無線通信を行うＭＣＡ通信モジュールであることを特徴とする請求項１〜６のいずれかに記載の移動通信制御システム。
【請求項８】
前記主たる通信モジュールが、ＳＲ通信に関する通信エリアの基地局にアクセスして基地局と無線通信を行う通信モジュールであることを特徴とする請求項１〜６のいずれかに記載の移動通信制御システム。
【請求項９】
通信時のみ主たる通信システムの通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御するシステムであって、
地図上における前記通信エリアの分布情報を格納した記憶部と、
所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、当該照合結果が前記通信エリアの圏外を再び示すものであった場合に、前記補助通信モジュールを用いて無線通信を実行する演算部と、
を備えることを特徴とする移動通信制御システム。
【請求項１０】
前記主たる通信モジュールが、ＳＲ通信ないしＣＲ通信に関する通信エリアの基地局ないし他の無線端末にアクセスして基地局ないし他の無線端末と無線通信を行う通信モジュールであることを特徴とする請求項９に記載の移動通信制御システム。
【請求項１１】
前記演算部は、
前記タイマーにおける所定時間の満了時点で得た、再度の前記照合による照合結果が、前記通信エリアの圏内を示すものであった場合、前記主たる通信モジュールから前記補助通信モジュールへの切換を行わずに、前記主たる通信モジュールのまま無線通信を実行するものであることを特徴とする請求項１０に記載の移動通信制御システム。
【請求項１２】
前記演算部は、
前記タイマーにおける所定時間の満了時点で得た、再度の前記照合による照合結果が、前記通信エリアの圏外を示すもので、前記主たる通信モジュールから前記補助通信モジュールに切り換えて無線通信を実行した後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、使用する通信モジュールを、前記補助通信モジュールから前記主たる通信モジュールに復帰させて無線通信を実行するものであることを特徴とする請求項１１に記載の移動通信制御システム。
【請求項１３】
前記演算部は、
前記タイマーにおける所定時間の満了時点で得た、再度の前記照合による照合結果が、前記通信エリアの圏内を再び示すものであった場合に、前記補助通信モジュールを用いた携帯電話網での無線通信の通話終了を検知した時点で、以降使用する通信モジュールを前記補助通信モジュールから前記主たる通信モジュールに復帰させるものであることを特徴とする請求項１２に記載の移動通信制御システム。
【請求項１４】
前記演算部は、
前記所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させるものであることを特徴とする請求項１３に記載の移動通信制御システム。
【請求項１５】
主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置が、
主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、該当データが前記通信エリアの圏外を再び示すものであった場合に、前記補助通信モジュールを用いて無線通信を実行する、
ことを特徴とする移動通信制御方法。
【請求項１６】
通信時のみ主たる通信システムの通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置が、
所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、当該照合結果が前記通信エリアの圏外を再び示すものであった場合に、前記補助通信モジュールを用いて無線通信を実行する、
を備えることを特徴とする移動通信制御方法。
【請求項１７】
主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置に、
主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、該当データが前記通信エリアの圏外を再び示すものであった場合に、前記補助通信モジュールを用いて無線通信を実行する、処理を実行させることを特徴とする移動通信制御プログラム。
【請求項１８】
通信時のみ主たる通信システムの通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置に、
所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、当該照合結果が前記通信エリアの圏外を再び示すものであった場合に、前記補助通信モジュールを用いて無線通信を実行する処理を実行させることを特徴とする移動通信制御プログラム。
【発明の詳細な説明】
【技術分野】
【０００１】
本発明は、移動通信制御システム、移動通信制御方法、および移動通信制御プログラムに関するものであり、具体的には、電波環境や無線端末の移動状況に応じた的確で効率的な無線伝送路の選択を行い、良好な通信品質を広範なエリアで確立可能とする技術に関する。
【背景技術】
【０００２】
所定エリア毎に設置された中継局を用いて、各無線端末から送信された信号を中継し、当該信号を指令局やその他の無線端末に同報可能な移動通信システムとして、ＭＣＡ（Ｍｕｌｔｉ Ｃｈａｎｎｅｌ Ａｃｃｅｓｓ）システムが知られている。このＭＣＡシステムは、半径約２０ｋｍ程度のエリアをカバーする各中継局と多数の無線端末とから構成されており、ユーザ毎の指令局（ユーザのオフィス等に設置）に所定数の無線端末が紐付けされ、管理されている。こうしたＭＣＡシステムは、複数の通信チャンネルを多数の利用者が共用することで、低コストで、いつでも混信なく通信できる業務用移動通信システムとして有用である。また、携帯電話網と異なり一斉同報が可能であるため、日常の業務用途だけでなく、緊急・災害時でも安定した通信が可能となる。
【０００３】
このようなＭＣＡシステムに関する技術としては、例えば、移動局からのデータ通信が頻発したときに、ＭＣＡ無線基地局の制御用チャネルに負荷がかかることを防止することができる無線通信システム（特許文献１参照）や、対向する第１及び第２の無線局間の無線回線の伝送路として、複数種類の伝送路のうち一の種類の伝送路を選択して無線通信する無線通信システム（特許文献２参照）などが提案されている。
【先行技術文献】
【特許文献】
【０００４】
【特許文献１】特開２００９−２４６７１９号公報
【特許文献２】特開２００４−３４３４５６号公報
【発明の概要】
【発明が解決しようとする課題】
【０００５】
ＭＣＡシステムは、一般電話回線網や携帯電話網に比べて通信コストが低廉である一方、中継局のカバー範囲に通信エリアが限られてしまう難点がある。この点は、ＳＲ（Service Radio）通信やＣＲ（Convenience Radio）通信のシステムでも同様である。よって、一定以上のエリアに跨って移動無線通信を行う場合には、通信できない場所やタイミングの発生が懸念される。他方、ＭＣＡシステムにおいて複数種類の伝送路を選択的に用いる従来手法が存在するが、中継局の設置場所、中継局同士の配置形態、各時点で無線端末が所在する地形や建物の状況、天候、時刻等により電波環境はこまかく変化しやすく、自動車等で無線端末が高速にて移動する状況を踏まえると、的確かつ効率的に伝送路の選択利用を行うことも困難であった。
【０００６】
そこで本発明の目的は、電波環境や無線端末の移動状況に応じた的確で効率的な無線伝送路の選択を行い、良好な通信品質を広範なエリアで確立可能とする技術を提供することにある。
【課題を解決するための手段】
【０００７】
上記課題を解決する本発明の移動通信制御システムは、主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御するシステムであって、主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、該当データが前記通信エリアの圏外を再び示すものであった場合に、前記補助通信モジュールを用いて無線通信を実行する演算部を備えることを特徴とする。
【０００８】
また、上述の移動通信制御システムにおいて、前記主たる通信モジュールが出力した、前記通信エリアの圏内／圏外を示すデータが、前記主たる通信モジュールが判定した前記通信エリアの圏内／圏外の判定結果、または、前記通信エリアにおける無線電波強度を示す電界強度値であるとしてもよい。
【０００９】
また、上述の移動通信制御システムにおける演算部は、前記タイマーにおける所定時間の満了時点で再度取得した、前記該当データが前記通信エリアの圏内を示すものであった場合、前記主たる通信モジュールから前記補助通信モジュールへの切換を行わずに、前記主たる通信モジュールのまま無線通信を実行するものであるとしてもよい。
【００１０】
また、上述の移動通信制御システムにおける演算部は、前記タイマーにおける所定時間の満了時点で再度取得した、前記該当データが前記通信エリアの圏外を示すもので、前記主たる通信モジュールから前記補助通信モジュールに切り換えて無線通信を実行した後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、使用する通信モジュールを、前記補助通信モジュールから前記主たる通信モジュールに復帰させて無線通信を実行するものであるとしてもよい。
【００１１】
また、上述の移動通信制御システムにおける演算部は、前記所定時間の満了時点で前記主たる通信モジュールから再度取得した、該当データが前記通信エリアの圏内を再び示すものであった場合に、前記補助通信モジュールを用いた携帯電話網での無線通信の通話終了を検知した時点で、以降使用する通信モジュールを前記補助通信モジュールから前記主たる通信モジュールに復帰させるものであるとしてもよい。
【００１２】
また、上述の移動通信制御システムにおける演算部は、前記所定時間の満了時点で前記主たる通信モジュールから再度取得した、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させるものであるとしてもよい。
【００１３】
また、上述の移動通信制御システムにおいて、前記主たる通信モジュールが、ＭＣＡ通信エリアの中継局にアクセスして指令局ないし他の無線端末と無線通信を行うＭＣＡ通信モジュールであるとしてもよい。
【００１４】
また、上述の移動通信制御システムにおいて、前記主たる通信モジュールが、ＳＲ通信に関する通信エリアの基地局にアクセスして基地局と無線通信を行う通信モジュールであるとしてもよい。
【００１５】
また、本発明の移動通信制御システムは、通信時のみ主たる通信システムの通信エリアにおける基地局ないし他の無線端末にアクセスして基地局ないし他の無線端末と無線通信を行う（ＳＲ／ＣＲ通信の通信エリアの基地局から、通信エリアに圏内／圏外を示すデータが常時送信されていないタイプの無線通信を行う）主たる通信モジュールと、携帯電話網エリアの基地局にアクセスして指令局ないし他の無線端末と無線通信を行う補助通信モジュールとを備える無線端末を制御するシステムであって、地図上における前記通信エリアの分布情報を格納した記憶部と、所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、当該照合結果が前記通信エリアの圏外を再び示すものであった場合に、前記補助通信モジュールを用いて無線通信を実行する演算部とを備えることを特徴とする。
【００１６】
また、上述の移動通信制御システムにおいて、前記主たる通信モジュールが、ＳＲ通信ないしＣＲ通信に関する通信エリアの基地局ないし他の無線端末にアクセスして基地局ないし他の無線端末と無線通信を行う通信モジュールである、としてもよい。
【００１７】
また、上述の移動通信制御システムにおいて、前記演算部は、前記タイマーにおける所定時間の満了時点で得た、再度の前記照合による照合結果が、前記通信エリアの圏内を示すものであった場合、前記主たる通信モジュールから前記補助通信モジュールへの切換を行わずに、前記主たる通信モジュールのまま無線通信を実行するものである、としてもよい。
【００１８】
また、上述の移動通信制御システムにおいて、前記演算部は、前記タイマーにおける所定時間の満了時点で得た、再度の前記照合による照合結果が、前記通信エリアの圏外を示すもので、前記主たる通信モジュールから前記補助通信モジュールに切り換えて無線通信を実行した後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、使用する通信モジュールを、前記補助通信モジュールから前記主たる通信モジュールに復帰させて無線通信を実行するものである、としてもよい。
【００１９】
また、上述の移動通信制御システムにおいて、前記演算部は、前記タイマーにおける所定時間の満了時点で得た、再度の前記照合による照合結果が、前記通信エリアの圏内を再び示すものであった場合に、前記補助通信モジュールを用いた携帯電話網での無線通信の通話終了を検知した時点で、以降使用する通信モジュールを前記補助通信モジュールから前記主たる通信モジュールに復帰させるものである、としてもよい。
【００２０】
また、上述の移動通信制御システムにおいて、前記演算部は、前記所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させるものである、としてもよい。
【００２１】
また、本発明の移動通信制御方法は、主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置が、主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、該当データが前記通信エリアの圏外を再び示すものであった場合に、前記補助通信モジュールを用いて無線通信を実行する、ことを特徴とする。
【００２２】
また、本発明の移動通信制御方法は、通信時のみ主たる通信システムの通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置が、所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、当該照合結果が前記通信エリアの圏外を再び示すものであった場合に、前記補助通信モジュールを用いて無線通信を実行する、を備えることを特徴とする。
【００２３】
また、本発明の移動通信制御プログラムは、主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置に、主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、該当データが前記通信エリアの圏外を再び示すものであった場合に、前記補助通信モジュールを用いて無線通信を実行する、処理を実行させることを特徴とする。
【００２４】
また、本発明の移動通信制御プログラムは、通信時のみ主たる通信システムの通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置に、  所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、当該照合結果が前記通信エリアの圏外を再び示すものであった場合に、前記補助通信モジュールを用いて無線通信を実行する処理を実行させることを特徴とする。
【発明の効果】
【００２５】
本発明によれば、電波環境や無線端末の移動状況に応じた的確で効率的な無線伝送路の選択を行い、良好な通信品質を広範なエリアで確立可能となる。
【図面の簡単な説明】
【００２６】
【図１】第１実施形態の移動通信制御システムを含むネットワーク構成図である。
【図２Ａ】第１実施形態における移動通信制御システムと無線端末との接続形態例１を示す図である。
【図２Ｂ】第１実施形態における移動通信制御システムの構成例１を示すブロック図である。
【図３】第１実施形態における移動通信制御システムと無線端末との接続形態例２を示す図である。
【図４】第１実施形態の移動通信制御方法の処理手順例１を示すフロー図である。
【図５】第１実施形態の移動通信制御方法の処理手順例２を示すフロー図である。
【図６】第１実施形態の移動通信制御方法における処理概念例１を示す図である。
【図７】第１実施形態の移動通信制御方法における処理概念例２を示す図である。
【図８Ａ】第２実施形態における移動通信制御システムと無線端末との接続形態例を示す図である。
【図８Ｂ】第２実施形態における移動通信制御システムの構成例を示すブロック図である。
【図９】第２実施形態におけるエリア分布情報テーブルの一例を示す図である。
【図１０】第２実施形態の移動通信制御方法の処理手順例１を示すフロー図である。
【図１１】第２実施形態の移動通信制御方法における処理概念例１を示す図である。
【図１２】第２実施形態の移動通信制御方法の処理手順例２を示すフロー図である。
【図１３】第２実施形態の移動通信制御方法における処理概念例２を示す図である。
【発明を実施するための形態】
【００２７】
−−−システム構成−−−
以下に本発明の実施形態について図面を用いて詳細に説明する。図１は、第１実施形態の移動通信制御システム１００を含むネットワーク構成図であり、図２Ａは第１実施形態における移動通信制御システム１００と無線端末１１との接続形態例１、図２Ｂは第１実施形態における移動通信制御システムの構成例１を示すブロック図である。
【００２８】
図１に示す移動通信制御システム１００は、電波環境や無線端末の移動状況に応じた的確で効率的な無線伝送路の選択を行い、良好な通信品質を広範なエリアで確立可能とする移動通信の制御システムである。
【００２９】
ここでまず、移動通信制御システム１００の制御対象である無線端末１１が本来利用するＭＣＡシステムについて概説しておく。このＭＣＡシステムは、図１にて例示するように、半径約２０ｋｍ程度のＭＣＡ通信エリア２０毎に設置された中継局１２と、自動車等の各移動局１０に搭載された無線端末１１と、ＭＣＡ通信サービスのユーザ（例：官公庁や運送業者など）のオフィス等に設置され、自組織の無線端末１１を通信可能に管理する指令局１３とを少なくとも含んでいる。中継局１２は、制御チャネルを用いて無線端末１１由来の発呼の検出と空きチャネルの設定を行って、各無線端末１１から送信された信号を中継し、当該信号を指令局１３やその他の無線端末に配信する。
【００３０】
移動局１０の間での個別通信を行う際、発信側の移動局１０が、上述の中継局１２に対し受信側の移動局１０への接続要求を送る。この場合、中継局１２は、発信側の移動局１０に対して応答を返すと共に、受信側の移動局１０に対し着信要求を送ることとなる。ＭＣＡ通信エリア２０内に所在する受信側の移動局１０は、上述の中継局１２からの着信要求に応答し着信応答を送る。一方、中継局１２は、受信側の移動局１０から着信応答を受信すると、空きチャネルを発信側の移動局１０、受信側の移動局１０の各々に関して指定して両移動局間の無線通信を確立する。
【００３１】
他方、移動局１０がＭＣＡ通信エリア２０に所在していない場合、従来技術においては無線通信は確立できないことになる。しかしながら、第１実施形態における無線端末１１は、上述のＭＣＡシステムを利用して無線通信を実行するＭＣＡ通信モジュール１１５（主たる通信モジュール）に加えて、携帯電話モジュール１１６（補助通信モジュール）も備えており（図２Ａ、図２Ｂも参照）、移動通信制御システム１００による制御によって、移動局１０の所在場所の電波環境等に応じて無線伝送路を、主に使用するＭＣＡシステムから、補助的な携帯電話網に切り替える処理を行って安定的な移動通信が可能となっている。
【００３２】
携帯電話モジュール１１６は、携帯電話網エリア２５に所在する携帯電話網基地局１４を介して、同様に携帯電話モジュール１１６を備えた指令局１３ないし他の無線端末と個別通信を行うモジュールである。携帯電話会社は、一般的にはＭＣＡシステムとは無関係に携帯電話網基地局１４を整備するため、上述のＭＣＡシステムにおける中継局１２の配置間隔等とは関係なく、各地域の一定範囲毎に携帯電話網基地局１４が存在している。この携帯電話網基地局１４を介した、携帯電話モジュール１１６と指令局１３等との通信処理自体については既存技術と同様のものとなる。なお、指令局１３は、上述したＭＣＡ通信モジュール１１５、携帯電話モジュール１１６、移動通信制御システム１００、スピーカーマイクである操作・表示部１１３、各移動局１０の識別情報や所在位置等を保持・管理し、オペレータが操作して、所定の移動局１０を特定し呼び出す際に使用するｅハイブリッドステーション１５（登録商標）が備わっている。このｅハイブリッドステーション１５は、従来のいわゆる個別呼出の機能を少なくとも備えている。
【００３３】
こうした第１実施形態における移動通信制御システム１００のハードウェア構成について以下に説明する。移動通信制御システム１００は、適宜な不揮発性記憶装置で構成される記憶部１０１、ＲＡＭなど揮発性記憶装置で構成されるメモリ１０３、記憶部１０１に保持されるプログラム１０２をメモリ１０３に読み出すなどして実行し装置自体の統括制御を行なうとともに各種判定、演算及び制御処理を行なうＣＰＵなどの演算部１０４、ＭＣＡ通信モジュール１１５や携帯電話モジュール１１６と通信しデータ（例：エリアの圏内／圏外を示すデータや、通信モジュールに対する起動／停止の指示など）の授受を行うインターフェイス部１０５を備える。なお、無線端末１１のユーザが操作し、発呼動作や通話音声入出力を行うスピーカーマイクたる無線端末１１の操作・表示部１１３は、移動通信制御システム１００と信号やデータの授受可能に接続されている。
【００３４】
演算部１０４がプログラム１０２を実行することにより実装される機能部、或いは、当該機能部と同じ機能が実装された電子回路としては、後述する切換制御部１１０、判断制御部１１１、およびタイマー１１４が少なくとも含まれる。タイマー１１４は、判断制御部１１１からの指示に応じて始動し、指示内容に応じた時間だけ計時する機能部となる。こうした、切換制御部１１０、判断制御部１１１、およびタイマー１１４を少なくとも備えた移動通信制御システム１００は、ＭＣＡシステムにのみ対応した既存の無線端末１１に接続して、無線端末１１の制御を行うアダプタ装置として実現すると好適である。この場合、移動通信制御システム１００が携帯電話モジュール１１６も含むものとする。
【００３５】
なお、図２Ａ、図２Ｂの形態に示したように無線端末１１がＭＣＡ通信モジュール１１５を備える場合の他、図３に示すように、無線端末１１が、携帯電話モジュール１１６の他に、ＳＲ（Service Radio）通信モジュールなど他の無線通信用のモジュール１２０を備えるとしてもよい。ＳＲ通信モジュールは、サービス無線と呼ばれる各種業務用無線用の通信モジュールであり、ＭＣＡ通信及びＣＲ（Convenience Radio）通信以外の無線通信（例：電力、ガス、鉄道、タクシー等々）用の通信モジュールである。以降の説明において、ＭＣＡ通信モジュール１１５と記載する場合であっても、上述のＳＲ通信モジュールなど他の無線通信用のモジュール１２０の概念も含むものとし、従って、主たるＭＣＡ通信モジュール１１５と補助的な携帯電話モジュール１１６のセットに関して移動通信制御システム１００が行う各種処理や奏する機能は、ＳＲ通信モジュール１２０と携帯電話モジュール１１６とのセットに関しても同様である。よって、特に限定しない限り（図８Ａ以降に関する説明を除く）、ＭＣＡ通信モジュール１１５を、ＳＲ通信モジュール或いはＣＲ通信モジュールに読み替えて適用出来るものとする。
【００３６】
続いて、第１実施形態の移動通信制御システム１００が備える機能について説明する。上述したように、以下に説明する機能は、例えば移動通信制御システム１００が備えるプログラム１０２を実行することで実装される機能、或いは同機能を果たす電子回路により実現される機能と言える。
【００３７】
第１実施形態の移動通信制御システム１００は、主たる通信モジュールたるＭＣＡ通信モジュール１１５が出力したＭＣＡ通信エリア２０の圏内／圏外を示すデータを得て、当該データがＭＣＡ通信エリア２０の圏外を示すものであった場合に、所定のタイマー１１４を始動し、当該タイマー１１４における所定時間の満了時点で、ＭＣＡ通信エリア２０の圏内／圏外を示すデータを上述のＭＣＡ通信モジュール１１５から再度取得し、該当データがＭＣＡ通信エリア２０の圏外を再び示すものであった場合に、無線通信に用いる通信モジュールを主たるＭＣＡ通信モジュール１１５から、補助的な通信モジュールである携帯電話モジュール１１６に切り換えるよう、切換制御部１１０に指示する判断制御部１１１を備える。
【００３８】
なお、切換制御部１１０は、ＭＣＡ通信モジュール１１５および携帯電話モジュール１１６との間にあって、操作・表示部１１３と各通信モジュールとの間を選択的に結ぶインターフェイス１１９を具備あるいは管理している。従って、切換制御部１１０は、操作・表示部１１３で入力された通話時の音声データ等を、適宜な変換処理等を行いつつ、インターフェイス１１９を介していずれかの通信モジュールに提供する機能を備えている。インターフェイス１１９は、操作・表示部１１３との接続用のコネクタから分岐し、ＭＣＡ通信モジュール１１５、携帯電話モジュール１１６にそれぞれ接続された、コンピュータチップ上の内部配線等の物理的なデータ経路を想定できる。
【００３９】
なお、上述したＭＣＡ通信モジュール１１５が出力した、ＭＣＡ通信エリア２０の圏内／圏外を示すデータは、ＭＣＡ通信モジュール１１５が判定したＭＣＡ通信エリア２０の圏内／圏外の判定結果、または、ＭＣＡ通信エリア２０における無線電波強度を示す電界強度値を想定できる。
【００４０】
また、上述の移動通信制御システム１００における判断制御部１１１は、タイマー１１４における所定時間の満了時点でＭＣＡ通信モジュール１１５から再度取得した、ＭＣＡ通信エリア２０の圏内／圏外を示すデータが、ＭＣＡ通信エリア２０の圏内を示すものであった場合、ＭＣＡ通信モジュール１１５から携帯電話モジュール１１６への切換を行わずに、ＭＣＡ通信モジュール１１５のまま無線通信を実行する機能を備える。
【００４１】
また、上述の移動通信制御システム１００における判断制御部１１１は、タイマー１１４における所定時間の満了時点でＭＣＡ通信モジュール１１５から再度取得した、ＭＣＡ通信エリア２０の圏内／圏外を示すデータが、ＭＣＡ通信エリア２０の圏外を示すもので、ＭＣＡ通信モジュール１１５から携帯電話モジュール１１６に切り換えて無線通信を実行した後、ＭＣＡ通信エリア２０についてＭＣＡ通信モジュール１１５から得た圏内／圏外を示すデータがＭＣＡ通信エリア２０の圏内を示すものとなった場合、所定のタイマー１１４を始動し、当該タイマー１１４における所定時間の満了時点で、ＭＣＡ通信エリア２０の圏内／圏外を示すデータをＭＣＡ通信モジュール１１５からから再度取得し、該当データがＭＣＡ通信エリア２０の圏内を再び示すものであった場合に、使用する通信モジュールを、携帯電話モジュール１１６からＭＣＡ通信モジュール１１５に復帰させて無線通信を実行する機能を備えている。
【００４２】
また、上述の移動通信制御システム１００の判断制御部１１１は、タイマー１１４での所定時間の満了時点でＭＣＡ通信モジュール１１５から再度取得した、ＭＣＡ通信エリア２０の圏内／圏外を示すデータが、ＭＣＡ通信エリア２０の圏内を再び示すものであった場合に、携帯電話モジュール１１６を用いた携帯電話網での無線通信の通話終了を検知した時点で、以降使用する通信モジュールを携帯電話モジュール１１６からＭＣＡ通信モジュール１１５に復帰させる機能を備えている。
【００４３】
また、上述の移動通信制御システム１００の判断制御部１１１は、タイマー１１４での所定時間の満了時点でＭＣＡ通信モジュール１１５から再度取得した、ＭＣＡ通信エリア２０の圏内／圏外を示すデータが、ＭＣＡ通信エリア２０の圏内を再び示すものであった場合に、その旨を携帯電話モジュール１１６を用いて指令局１３に通知し、当該通知を受けた指令局１３から、携帯電話モジュール１１６での無線通信終了指示を受信して、携帯電話モジュール１１６を用いた無線通信を終了させ、以降使用する通信モジュールを携帯電話モジュール１１６からＭＣＡ通信モジュール１１５に復帰させる機能を備えている。
【００４４】
なお、上述の携帯電話モジュール１１６は、例えばＣＤＭＡやＴＤＭＡなど第３世代移動通信のプロトコルに対応したものであり、携帯電話網エリア２５の携帯電話網基地局１４を介した、無線端末１１と指令局１３ないし他の無線端末との間でやりとりするデータ（音声データやその他のデータ等）をパケット化し、携帯電話網を介したデータ通信を行うモジュールである。この携帯電話モジュール１１６は、例えば、該当プロトコル用の送信データを符号化処理し、当該データからフレーム構成を行い、デジタル変調や符号拡散等を経てキャリアに載せる変調回路や、変調回路の出力電力を調整して送信信号を生成し送信する制御回路、受信信号に対するダウンコンバートや検波等を行って受信データを出力する復調回路、などを備えるものであり、既存のものを採用すればよい。
【００４５】
−−−処理手順例１−−−
以下、第１実施形態における移動通信制御方法の実際手順について図に基づき説明する。図４は第１実施形態の移動通信制御方法の処理手順例１を示すフロー図であり、図６は第１実施形態の移動通信制御方法における処理概念例１を示す図である。ここでは、図６の概念例１に示すように、例えば、移動局１０がＭＣＡ通信エリア２０に所在しつつ無線端末１１による無線通信を開始し、そのまま無線通信を行っていたが、その後、ＭＣＡ通信エリア２０外であって携帯電話網エリア２５に含まれる場所に移動するといった状況変遷を想定する。
【００４６】
この場合、移動局１０の無線端末１１は待ち受け状態にあるとする。例えば所定時間の到来毎に、移動通信制御システム１００の判断制御部１１１は、ＭＣＡ通信モジュール１１５からＭＣＡ通信エリア２０の圏内／圏外の判定結果（電界強度値であってもよい）を取得する（ｓ１００）。
【００４７】
また、判断制御部１１１は、上述のステップｓ１００で得た判定結果が、ＭＣＡ通信エリア２０の圏内であるか、すなわち、移動局１０における現状の通信環境でＭＣＡ通信モジュール１１５にて無線通信可能か特定し、この特定結果を、時刻情報と共に記憶部１０１ないしメモリ１０３に格納する（ｓ１０１）。上述したように、ここで想定した状況としては、移動局１０が当初所在するのはＭＣＡ通信エリア２０であるから、判断制御部１１１は、ＭＣＡ通信エリア２０の圏内と特定することになる（ｓ１０１：ｙ）。
【００４８】
なお、ＭＣＡ通信モジュール１１５は、中継局１２の発する電波の電界強度を測定して、移動局１０がＭＣＡ通信エリア２０の圏内か圏外かを一定時間毎に判定している。
【００４９】
他方、上述のステップｓ１０１において、ＭＣＡ通信エリア２０の圏外であったと特定した場合（ｓ１０１：ｎ）、判断制御部１１１は処理を後述するステップｓ１１３に進める。
【００５０】
続いて、ステップｓ１０１においてＭＣＡ通信エリア２０の圏内と判定した場合、上述の判断制御部１１１は、記憶部１０１ないしメモリ１０３に格納されている、直近の特定結果を参照し、通信環境が直近の状態から変化しなかったか、すなわち直近に行ったステップｓ１０１の処理時から「圏内」のままであるか否か判定する（ｓ１０２）。
【００５１】
直近のステップｓ１０１の処理時には通信環境が「圏外」であった場合（ｓ１０２：ｎ）、  判断制御部１１１は、通信環境が短時間で変動した状況であると認識して、タイマー１１４を始動する（ｓ１０３）。また、判断制御部１１１は、当該タイマー１１４における所定時間の満了時点で、ＭＣＡ通信エリア２０の圏内／圏外の判定結果を上述のＭＣＡ通信モジュール１１５から再度取得する（ｓ１０４）。
【００５２】
ここで取得した判定結果がＭＣＡ通信エリア２０の「圏内」を再び示すものであった場合（ｓ１０５：ｙ）、判断制御部１１１は、現状の通信環境にてＭＣＡ通信モジュール１１５による無線通信可能か判定する（ｓ１０６）。この判定は、判断制御部１１１が、例えばＭＣＡ通信モジュール１１５（中継局１２や指令局１３であってもよい）に対し、災害時の一斉通報など全チャネルを占有する緊急放送を受信中であるか、問い合わせを行い、そうした緊急放送の受信中であるとの応答を得た場合には、電波環境としては「圏内」ではあるものの、ＭＣＡ通信可能ではないと判定する。
【００５３】
なお、上述のステップｓ１０４において、取得した判定結果がＭＣＡ通信エリア２０の圏外を示すものであった場合（ｓ１０５：ｎ）、判断制御部１１１は処理をステップｓ１００に戻す。また、ステップｓ１０６において、ＭＣＡ通信モジュール１１５による無線通信が可能でないと判定した場合（ｓ１０６：ｎ）、判断制御部１１１は処理をステップｓ１００に戻す。
【００５４】
他方、現状の通信環境にてＭＣＡ通信モジュール１１５による無線通信が可能であると判定した場合（ｓ１０６：ｙ）、判断制御部１１１は、ステップｓ１０６において無線通信可能と特定できたＭＣＡ通信モジュール１１５とスピーカーマイク１１３との間のインターフェイス１１９Ａがアクティブになっているか否かチェックする（ｓ１０７）。インターフェイス１１９Ａがアクティブになっている場合（ｓ１０７：ｙ）、判断制御部１１１は処理をステップｓ１１０に進める。一方、インターフェイス１１９Ａがアクティブになっていなかった場合（ｓ１０７：ｎ）、判断制御部１１１は、インターフェイス１１９Ａをアクティブにするよう、切換制御部１１０に指示を行う（ｓ１０８）。
【００５５】
切換制御部１１０は、上述の指示を受けてＭＣＡ通信モジュール１１５とスピーカーマイク１１３の間のインターフェイス１１９Ａをアクティブにすることで、スピーカーマイク１１３をＭＣＡ通信モジュール１１５に接続する（ｓ１０９）。その後、ＭＣＡ通信モジュール１１５は、中継局１２を介した指令局１３ないし他の無線端末との所定の接続確立処理（既存の手法でよい）を実行し、無線端末１１と指令局１３ないし他の無線端末との間の無線通信による通話を実行することとなる。
【００５６】
上述のステップｓ１０９の実行後、判断制御部１１１は、スピーカーマイク１１３（操作・表示部）の押下や、指令局１３からの着信の有無を一定時間モニタリングする。この時、一定時間以内にスピーカーマイク１１３（操作・表示部）の押下や、指令局１３からの着信が無かった場合（ｓ１１０：ｎ）、判断制御部１１１は、処理を上述のステップｓ１００に戻す。なお、移動局１０の無線端末１１におけるスピーカーマイク１１３（操作・表示部）が押下された際には、当該スピーカーマイク１１３から移動通信制御システム１００に向けて、スピーカーマイク１１３での押下事象が通知されるものとする。同様に、移動局１０の無線端末１１は、着信があった際には、その旨を移動通信制御システム１００に向けて通知するものとする
他方、一定時間以内にスピーカーマイク１１３（操作・表示部）の押下や、指令局１３からの着信があった場合（ｓ１１０：ｙ）、判断制御部１１１は、通話の開始を認識する（ｓ１１１）。また、判断制御部１１１は、上述の通話の開始後、スピーカーマイク１１３での押下が解かれて一定時間以上経過する事象、または、無線端末１１の電源がオフされる事象、といった終話に対応する事象の発生について、無線端末１１をモニタリングする（ｓ１１２）。
【００５７】
終話に対応する事象の発生があった場合（ｓ１１２：ｙ）、判断制御部１１１は、処理をステップｓ１００に戻し、待ち受け状態にある無線端末１１のＭＣＡ通信モジュール１１５から、所定時間の到来毎に、ＭＣＡ通信エリア２０の圏内／圏外の判定結果を取得する処理から再びフローを実行する。
【００５８】
一方、上述のステップｓ１０１において、ＭＣＡ通信エリア２０の圏外であったと特定した場合（ｓ１０１：ｎ）、判断制御部１１１は、記憶部１０１ないしメモリ１０３に格納されている、直近の特定結果を参照し、通信環境が直近の状態から変化しなかったか、すなわち直近に行ったステップｓ１０１の処理時から「圏外」のままであるか否か判定する（ｓ１１３）。
【００５９】
直近のステップｓ１０１の処理時には通信環境が「圏内」であった場合（ｓ１１３：ｎ）、  判断制御部１１１は、通信環境が短時間で変動した状況であると認識して、タイマー１１４を始動する（ｓ１１４）。また、判断制御部１１１は、当該タイマー１１４における所定時間の満了時点で、ＭＣＡ通信エリア２０の圏内／圏外の判定結果を上述のＭＣＡ通信モジュール１１５から再度取得する（ｓ１１５）。
【００６０】
ここで取得した判定結果がＭＣＡ通信エリア２０の「圏外」を再び示すものであった場合（ｓ１１６：ｙ）、判断制御部１１１は、現状の通信環境にて携帯電話モジュール１１６による無線通信可能か判定する（ｓ１１７）。この判定は、判断制御部１１１が、例えば携帯電話モジュール１１６に対し、所定の電界強度以上で携帯電話網基地局１４からの信号を受信中であるか問い合わせ、所定の電界強度以上で信号受信中であるとの応答を得た場合には、携帯電話網での通信可能であると判定する。
【００６１】
なお、上述のステップｓ１１５において取得した判定結果がＭＣＡ通信エリア２０の圏内を示すものであった場合（ｓ１１６：ｎ）、判断制御部１１１は処理をステップｓ１００に戻す。また、ステップｓ１１７において携帯電話モジュール１１６による無線通信が可能でないと判定した場合（ｓ１１７：ｎ）、判断制御部１１１は処理をステップｓ１００に戻す。
【００６２】
他方、現状の通信環境にて携帯電話モジュール１１６による無線通信が可能であると判定した場合（ｓ１１７：ｙ）、判断制御部１１１は、ステップｓ１１７において無線通信可能と特定できた携帯電話モジュール１１６とスピーカーマイク１１３との間のインターフェイス１１９Ｂがアクティブになっているか否かチェックする（ｓ１１８）。インターフェイス１１９Ｂがアクティブになっている場合（ｓ１１８：ｙ）、判断制御部１１１は処理をステップｓ１２１に進める。一方、インターフェイス１１９Ｂがアクティブになっていなかった場合（ｓ１１８：ｎ）、判断制御部１１１は、インターフェイス１１９Ｂをアクティブにするよう、切換制御部１１０に指示を行う（ｓ１１９）。
【００６３】
切換制御部１１０は、上述の指示を受けて携帯電話モジュール１１６とスピーカーマイク１１３の間のインターフェイス１１９Ｂをアクティブにすることで、スピーカーマイク１１３を携帯電話モジュール１１６に接続する（ｓ１２０）。その後、携帯電話モジュール１１６は、携帯電話網基地局１４を介した指令局１３ないし他の無線端末との所定の接続確立処理（既存の手法でよい）を実行し、無線端末１１と指令局１３ないし他の無線端末との間の無線通信による通話を実行することとなる。
【００６４】
上述のステップｓ１２０の実行後、判断制御部１１１は、スピーカーマイク１１３（操作・表示部）の押下や、指令局１３からの着信の有無を一定時間モニタリングする（ｓ１２１）。この時、一定時間以内にスピーカーマイク１１３（操作・表示部）の押下や、指令局１３からの着信が無かった場合（ｓ１２１：ｎ）、判断制御部１１１は、処理を上述のステップｓ１００に戻す。なお、移動局１０の無線端末１１におけるスピーカーマイク１１３（操作・表示部）が押下された際には、当該スピーカーマイク１１３から移動通信制御システム１００に向けて、スピーカーマイク１１３での押下事象が通知されるものとする。同様に、移動局１０の無線端末１１は、着信があった際には、その旨を移動通信制御システム１００に向けて通知するものとする
他方、一定時間以内にスピーカーマイク１１３（操作・表示部）の押下や、指令局１３からの着信があった場合（ｓ１２１：ｙ）、判断制御部１１１は、通話の開始を認識する（ｓ１２２）。また、判断制御部１１１は、上述の通話の開始後、スピーカーマイク１１３での押下が解かれて一定時間以上経過する事象、または、無線端末１１の電源がオフされる事象、といった終話に対応する事象の発生について、無線端末１１をモニタリングする（ｓ１２３）。
【００６５】
終話に対応する事象の発生があった場合（ｓ１２３：ｙ）、判断制御部１１１は、処理をステップｓ１００に戻し、待ち受け状態にある無線端末１１のＭＣＡ通信モジュール１１５から、所定時間の到来毎に、ＭＣＡ通信エリア２０の圏内／圏外の判定結果を取得する処理から再びフローを実行する。
【００６６】
−−−処理手順例２−−−
次に、無線端末１１における無線通信中に通信環境が変化した場合の処理について図に基づき説明する。図５は第１実施形態の移動通信制御方法の処理手順例２を示すフロー図であり、図７は第１実施形態の移動通信制御方法における処理概念例２を示す図である。
【００６７】
無線通信に用いる通信モジュールを、上述のステップｓ１１７〜ｓ１２０のように、主として用いるＭＣＡ通信モジュール１１５から、補助的な携帯電話モジュール１１６に切り換えた以降の状態において、上述のスピーカーマイク１１３が再び押下された場合（ｓ２００：ｙ）、移動通信制御システム１００の判断制御部１１１は、上述のステップｓ１００を実行し、これにより、ＭＣＡ通信モジュール１１５から得られたＭＣＡ通信エリア２０の圏内／圏外の判定結果が、「圏内」を示すものであった場合（ｓ２０１：ｙ）、タイマー１１４を始動する（ｓ２０２）。
【００６８】
なお、ステップｓ２００の処理は、スピーカーマイク１１３の押下に関わらず、ＭＣＡ通信モジュール１１５からＭＣＡ通信エリア２０の圏内／圏外の判定結果が送られてきた場合に実行するとしても良い。
【００６９】
判断制御部１１１は、タイマー１１４における所定時間の満了時点で、ＭＣＡ通信エリア２０の圏内／圏外の判定結果を上述のＭＣＡ通信モジュール１１５から再度取得する（ｓ２０３）。この判定結果がＭＣＡ通信エリア２０の「圏内」を再び示すものであった場合（ｓ２０４：ｙ）、判断制御部１１１は、スピーカーマイク１１３の押下が解かれて通話終了となった時点、或いは無音時間が継続した時点を、例えば、携帯電話モジュール１１６の稼働状況を監視して検知し（ｓ２０５）、該当時点で、使用する通信モジュールを携帯電話モジュール１１６から、主たる通信モジュールたるＭＣＡ通信モジュール１１５に復帰させるべく、切換制御部１１０に指示する（ｓ２０６）。
【００７０】
一方、切換制御部１１０は、上述の指示を受けてＭＣＡ通信モジュール１１５とスピーカーマイク１１３の間のインターフェイス１１９Ａをアクティブにして、スピーカーマイク１１３をＭＣＡ通信モジュール１１５に接続する（ｓ２０７）。その後、ＭＣＡ通信モジュール１１５は、中継局１２を介した指令局１３ないし他の無線端末との所定の接続確立処理を実行し、無線端末１１と指令局１３ないし他の無線端末との間の無線通信による通話を実行することとなる。
【００７１】
上述のステップｓ２０４において、判定結果がＭＣＡ通信エリア２０の「圏内」を再び示すものであった場合、判断制御部１１１は、上述のステップｓ２０５に代えて、ＭＣＡ通信エリア２０の「圏内」となった旨を、携帯電話モジュール１１６を用いて指令局１３に通知する処理を実行するとしてもよい。この場合、判断制御部１１１は、当該通知を受けた指令局１３から、携帯電話モジュール１１６での無線通信終了指示を受信し、携帯電話モジュール１１６を用いた無線通信の終了指示と、使用する通信モジュールの、携帯電話モジュール１１６からＭＣＡ通信モジュール１１５への復帰指示を切換制御部１１０に通知する。
【００７２】
この場合、切換制御部１１０は、上述の各指示を受け、携帯電話モジュール１１６とスピーカーマイク１１３の間のインターフェイス１１９Ｂを非アクティブとし、更に、ＭＣＡ通信モジュール１１５とスピーカーマイク１１３の間のインターフェイス１１９Ａをアクティブにして、スピーカーマイク１１３をＭＣＡ通信モジュール１１５に接続する。その後、ＭＣＡ通信モジュール１１５は、中継局１２を介した指令局１３ないし他の無線端末との所定の接続確立処理を実行し、無線端末１１と指令局１３ないし他の無線端末との間の無線通信による通話を実行することとなる。
【００７３】
−−−第２実施形態−−−
次に、移動通信制御システム２００がＧＰＳ情報を利用して処理を行う場合の形態について図に基づき説明する。図８Ａは、第２実施形態における移動通信制御システムと無線端末との接続形態例を示す図、図８Ｂは第２実施形態における移動通信制御システムの構成例を示すブロック図である。この第２実施形態における移動通信制御システム２００は、ＭＣＡ通信モジュール１１５を主たる通信モジュールとし、携帯電話モジュール１１６を補助通信モジュールとしたセットではなく、主たる通信モジュールとしてのＳＲ／ＣＲ通信モジュール２２０（ＳＲ：Service Radio、ＣＲ：Convenience Radio）と、補助通信モジュールとしての携帯電話モジュール１１６を備える無線端末１１に適用されるものとなる。ここで示す場合のＳＲ／ＣＲ通信モジュール２２０は、ユーザが、スピーカーマイクたる操作・表示部１１３を操作して通信を行う時のみＳＲ／ＣＲ通信の通信エリアの基地局３５（図１１参照。以下同様）ないし他の無線端末にアクセスして基地局３５ないし他の無線端末と無線通信を行う、いわば非常送タイプの通信モジュールとなる。
【００７４】
こうした移動通信制御システム２００は、上述した第１実施形態と同様のハードウェア構成の他に、ＧＰＳモジュール１１７、これに付帯するＧＰＳアンテナ１１８、エリア分布情報テーブル１２５を格納した位置情報部１１２を更に備えている。なお、位置情報部１１２は、記憶部１０１内に設けられているものとする。
【００７５】
なお、位置情報部１１２が格納しているエリア分布情報テーブル１２５は、地図上におけるＳＲ通信またはＣＲ通信の通信エリア３０の分布情報を格納したものとなる。図９に例示するように、エリア分布情報テーブル１２５は、各ＳＲ通信またはＣＲ通信の通信エリア３０の分布範囲を示す座標値（例：該当範囲の境界を示す緯度経度値の範囲など）が設定されたテーブルとなる。
【００７６】
続いて、第２実施形態の移動通信制御システム２００が備える機能について説明する。以下に説明する機能は、上述したＧＰＳモジュール１１７や位置情報部１１２を用いつつ、例えば移動通信制御システム２００が備えるプログラム１０２を実行することで実装される機能、或いは同機能を果たす電子回路により実現される機能と言える。
【００７７】
移動通信制御システム２００は、所定のＧＰＳモジュール１１７から得た当該無線端末１１の位置情報を位置情報部１１２のエリア分布情報テーブル１２５に照合し、当該無線端末１１がＳＲ通信またはＣＲ通信の通信エリアの圏外を示すものであった場合に、タイマー１１４を始動し、当該タイマー１１４における所定時間の満了時点で、当該無線端末１１の位置情報をエリア分布情報テーブル１２５に再び照合し、当該照合結果がＳＲ通信またはＣＲ通信の通信エリアの圏外を再び示すものであった場合に、携帯電話モジュール１１６を用いて無線通信を実行する機能を備えている。
【００７８】
−−−処理手順例１−−−
続いて、こうした構成の移動通信制御システム２００における移動通信制御方法の実際手順について図に基づき説明する。図１０は第２実施形態の移動通信制御方法の処理手順例１を示すフロー図である。
【００７９】
ここでは、図１１の概念例に示すように、例えば、移動局１０がＳＲ通信またはＣＲ通信の通信エリア３０に所在しつつ無線端末１１による無線通信を開始し、そのまま無線通信を行っていたが、その後、ＳＲ通信またはＣＲ通信の通信エリア３０外であって携帯電話網エリア２５に含まれる場所に移動するといった状況変遷を想定する。
【００８０】
この場合、移動局１０の無線端末１１は待ち受け状態にあるとする。例えば所定時間の到来毎に、移動通信制御システム２００の判断制御部１１１は、ＧＰＳアンテナ１１８を備えるＧＰＳモジュール１１７から得た当該無線端末１１の位置情報を、上述のエリア分布情報テーブル１２５に照合する（ｓ３００）。具体的には、ＧＰＳモジュール１１７から得た、無線端末１１の位置情報たる緯度経度情報を、エリア分布情報テーブル１２５における、各ＳＲ通信またはＣＲ通信の通信エリア３０の分布情報（緯度経度情報の範囲を示すデータ）に照合し、無線端末１１の所在地に対応した緯度経度値が、いずれかのＳＲ通信またはＣＲ通信の通信エリア３０の分布情報が示す範囲に含まれているか判定する。従ってこの判定結果は、無線端末１１の現所在地が、ＳＲ通信またはＣＲ通信の通信エリア３０の圏内か圏外を示すものとなる。
【００８１】
また、判断制御部１１１は、上述のステップｓ３００で得た判定結果が、ＳＲ通信またはＣＲ通信の通信エリア３０の圏内であるか、すなわち、移動局１０における現状の通信環境でＳＲ／ＣＲ通信モジュール２２０にて無線通信可能か特定し、この特定結果を、時刻情報と共に記憶部１０１ないしメモリ１０３に格納する（ｓ３０１）。上述したように、ここで想定した状況としては、移動局１０が当初所在するのはＳＲ通信またはＣＲ通信の通信エリア３０であるから、判断制御部１１１は、ＳＲ通信またはＣＲ通信の通信エリア３０の圏内と特定することになる（ｓ３０１：ｙ）。
【００８２】
なお、ＧＰＳモジュール１１７は、ＧＰＳアンテナ１１８での受信電波に基づいて移動局１０の位置を測定して、その位置情報を一定時間毎に移動通信制御システム２００に送信している。
【００８３】
他方、上述のステップｓ３０１において、ＳＲ通信またはＣＲ通信の通信エリア３０の圏外であったと特定した場合（ｓ３０１：ｎ）、判断制御部１１１は処理を後述するステップｓ３１３に進める。
【００８４】
続いて、ステップｓ３０１においてＳＲ通信またはＣＲ通信の通信エリア３０の圏内と判定した場合、上述の判断制御部１１１は、記憶部１０１ないしメモリ１０３に格納されている、直近の特定結果を参照し、通信環境が直近の状態から変化しなかったか、すなわち直近に行ったステップｓ３０１の処理時から「圏内」のままであるか否か判定する（ｓ３０２）。
【００８５】
直近のステップｓ３０１の処理時には通信環境が「圏外」であった場合（ｓ３０２：ｎ）、判断制御部１１１は、通信環境が短時間で変動した状況であると認識して、タイマー１１４を始動する（ｓ３０３）。また、判断制御部１１１は、当該タイマー１１４における所定時間の満了時点で、ＳＲ通信またはＣＲ通信の通信エリア３０の圏内／圏外の判定結果を、上述のステップｓ３００、ｓ３０１を再度実行して取得する（ｓ３０４）。
【００８６】
ここで取得した判定結果がＳＲ通信またはＣＲ通信の通信エリア３０の「圏内」を再び示すものであった場合（ｓ３０５：ｙ）、判断制御部１１１は、現状の通信環境にてＳＲ／ＣＲ通信モジュール２２０による無線通信可能か判定する（ｓ３０６）。この判定は、判断制御部１１１が、例えばＳＲ／ＣＲ通信モジュール２２０に対し、災害時の一斉通報など全チャネルを占有する緊急放送を受信中であるか、問い合わせを行い、そうした緊急放送の受信中であるとの応答を得た場合には、電波環境としては「圏内」ではあるものの、ＳＲ通信ないしＣＲ通信が可能ではないと判定する。
【００８７】
なお、上述のステップｓ３０５において、取得した判定結果がＳＲ通信またはＣＲ通信の通信エリア３０の圏外を示すものであった場合（ｓ３０５：ｎ）、判断制御部１１１は処理をステップｓ３００に戻す。また、ステップｓ３０６において、ＳＲ／ＣＲ通信モジュール２２０による無線通信が可能でないと判定した場合（ｓ３０６：ｎ）、判断制御部１１１は処理をステップｓ３００に戻す。
【００８８】
他方、現状の通信環境にてＳＲ／ＣＲ通信モジュール２２０による無線通信が可能であると判定した場合（ｓ３０６：ｙ）、判断制御部１１１は、ステップｓ３０６において無線通信可能と特定できたＳＲ／ＣＲ通信モジュール２２０とスピーカーマイク１１３との間のインターフェイス１１９Ａがアクティブになっているか否かチェックする（ｓ３０７）。インターフェイス１１９Ａがアクティブになっている場合（ｓ３０７：ｙ）、判断制御部１１１は処理をステップｓ３１０に進める。一方、インターフェイス１１９Ａがアクティブになっていなかった場合（ｓ３０７：ｎ）、判断制御部１１１は、インターフェイス１１９Ａをアクティブにするよう、切換制御部１１０に指示を行う（ｓ３０８）。
【００８９】
切換制御部１１０は、上述の指示を受けてＳＲ／ＣＲ通信モジュール２２０とスピーカーマイク１１３の間のインターフェイス１１９Ａをアクティブにすることで、スピーカーマイク１１３をＳＲ／ＣＲ通信モジュール２２０に接続する（ｓ３０９）。その後、ＳＲ／ＣＲ通信モジュール２２０は、所定の基地局３５を介した基地局３５ないし他の無線端末との所定の接続確立処理（既存の手法でよい）を実行し、無線端末１１と基地局３５ないし他の無線端末との間の無線通信による通話を実行することとなる。
【００９０】
上述のステップｓ３０９の実行後、判断制御部１１１は、スピーカーマイク１１３（操作・表示部）の押下や、指令局１３からの着信の有無を一定時間モニタリングする（ｓ３１０）。この時、一定時間以内にスピーカーマイク１１３（操作・表示部）の押下や、指令局１３からの着信が無かった場合（ｓ３１０：ｎ）、判断制御部１１１は、処理を上述のステップｓ３００に戻す。なお、移動局１０の無線端末１１におけるスピーカーマイク１１３（操作・表示部）が押下された際には、当該スピーカーマイク１１３から移動通信制御システム２００に向けて、スピーカーマイク１１３での押下事象が通知されるものとする。同様に、移動局１０の無線端末１１は、着信があった際には、その旨を移動通信制御システム２００に向けて通知するものとする
他方、一定時間以内にスピーカーマイク１１３（操作・表示部）の押下や、指令局１３からの着信があった場合（ｓ３１０：ｙ）、判断制御部１１１は、通話の開始を認識する（ｓ３１１）。また、判断制御部１１１は、上述の通話の開始後、スピーカーマイク１１３での押下が解かれて一定時間以上経過する事象、または、無線端末１１の電源がオフされる事象、といった終話に対応する事象の発生について、無線端末１１をモニタリングする（ｓ３１２）。
【００９１】
終話に対応する事象の発生があった場合（ｓ３１２：ｙ）、判断制御部１１１は、処理をステップｓ３００に戻し、ＧＰＳモジュール１１７から、所定時間の到来毎に、無線端末１１の位置情報を取得する処理から再びフローを実行する。
【００９２】
一方、上述のステップｓ３０１において、ＳＲ通信またはＣＲ通信の通信エリア３０の圏外であったと特定した場合（ｓ３０１：ｎ）、判断制御部１１１は、記憶部１０１ないしメモリ１０３に格納されている、直近の特定結果を参照し、通信環境が直近の状態から変化しなかったか、すなわち直近に行ったステップｓ３０１の処理時から「圏外」のままであるか否か判定する（ｓ３１３）。
【００９３】
直近のステップｓ３０１の処理時には通信環境が「圏内」であった場合（ｓ３１３：ｎ）、判断制御部１１１は、通信環境が短時間で変動した状況であると認識して、タイマー１１４を始動する（ｓ３１４）。また、判断制御部１１１は、当該タイマー１１４における所定時間の満了時点で、ＧＰＳモジュール１１７から無線端末１１の位置情報を再度取得し、これを上述のエリア分布情報テーブル１２５に照合して、ＳＲ通信またはＣＲ通信の通信エリア３０の圏内であるか再度判定する（ｓ３１５）。
【００９４】
ここでの判定結果がＳＲ通信またはＣＲ通信の通信エリア３０の「圏外」を再び示すものであった場合（ｓ３１６：ｙ）、判断制御部１１１は、現状の通信環境にて携帯電話モジュール１１６による無線通信可能か判定する（ｓ３１７）。この判定は、判断制御部１１１が、例えば携帯電話モジュール１１６に対し、所定の電界強度以上で携帯電話網基地局１４からの信号を受信中であるか問い合わせ、所定の電界強度以上で信号受信中であるとの応答を得た場合には、携帯電話網での通信可能であると判定する。
【００９５】
なお、上述のステップｓ３１６において、取得した判定結果がＳＲ通信またはＣＲ通信の通信エリア３０の圏内を示すものであった場合（ｓ３１６：ｎ）、判断制御部１１１は処理をステップｓ３００に戻す。また、ステップｓ３１７において、携帯電話モジュール１１６による無線通信が可能でないと判定した場合（ｓ３１７：ｎ）、判断制御部１１１は処理をステップｓ３００に戻す。
【００９６】
他方、現状の通信環境にて携帯電話モジュール１１６による無線通信が可能であると判定した場合（ｓ３１７：ｙ）、判断制御部１１１は、ステップｓ３１７において無線通信可能と特定できた携帯電話モジュール１１６とスピーカーマイク１１３との間のインターフェイス１１９Ｂがアクティブになっているか否かチェックする（ｓ３１８）。インターフェイス１１９Ｂがアクティブになっている場合（ｓ３１８：ｙ）、判断制御部１１１は処理をステップｓ３２１に進める。一方、インターフェイス１１９Ｂがアクティブになっていなかった場合（ｓ３１８：ｎ）、判断制御部１１１は、インターフェイス１１９Ｂをアクティブにするよう、切換制御部１１０に指示を行う（ｓ３１９）。
【００９７】
切換制御部１１０は、上述の指示を受けて携帯電話モジュール１１６とスピーカーマイク１１３の間のインターフェイス１１９Ｂをアクティブにすることで、スピーカーマイク１１３を携帯電話モジュール１１６に接続する（ｓ３２０）。その後、携帯電話モジュール１１６は、携帯電話網基地局１４を介した指令局１３ないし他の無線端末との所定の接続確立処理（既存の手法でよい）を実行し、無線端末１１と指令局１３ないし他の無線端末との間の無線通信による通話を実行することとなる。
【００９８】
上述のステップｓ３１８の実行後、判断制御部１１１は、スピーカーマイク１１３（操作・表示部）の押下や、指令局１３からの着信の有無を一定時間モニタリングする（ｓ３２１）。この時、一定時間以内にスピーカーマイク１１３（操作・表示部）の押下や、指令局１３からの着信が無かった場合（ｓ３２１：ｎ）、判断制御部１１１は、処理を上述のステップｓ３００に戻す。なお、移動局１０の無線端末１１におけるスピーカーマイク１１３（操作・表示部）が押下された際には、当該スピーカーマイク１１３から移動通信制御システム２００に向けて、スピーカーマイク１１３での押下事象が通知されるものとする。同様に、移動局１０の無線端末１１は、着信があった際には、その旨を移動通信制御システム２００に向けて通知するものとする
他方、一定時間以内にスピーカーマイク１１３（操作・表示部）の押下や、指令局１３からの着信があった場合（ｓ３２１：ｙ）、判断制御部１１１は、通話の開始を認識する（ｓ３２２）。また、判断制御部１１１は、上述の通話の開始後、スピーカーマイク１１３での押下が解かれて一定時間以上経過する事象、または、無線端末１１の電源がオフされる事象、といった終話に対応する事象の発生について、無線端末１１をモニタリングする（ｓ３２３）。
【００９９】
終話に対応する事象の発生があった場合（ｓ３２３：ｙ）、判断制御部１１１は、処理をステップｓ３００に戻し、所定時間の到来毎に、ＧＰＳモジュール１１７から当該無線端末１１の位置情報を得て、エリア分布情報テーブル１２５に照合し、ＳＲ通信またはＣＲ通信の通信エリア３０の圏内であるか判定する処理から再びフローを実行する。
【０１００】
−−−処理手順例２−−−
次に、無線端末１１における無線通信中に通信環境が変化した場合の処理について、図に基づき説明する。図１２は第２実施形態の移動通信制御方法の処理手順例２を示すフロー図であり、図１３は第２実施形態の移動通信制御方法における処理概念例２を示す図である。
【０１０１】
無線通信に用いる通信モジュールを、上述のステップｓ３１７〜ｓ３２０のように、主として用いるＳＲ／ＣＲ通信モジュール２２０から、補助的な携帯電話モジュール１１６に切り換えた以降の状態において、上述のスピーカーマイク１１３が再び押下された場合（ｓ４００：ｙ）、移動通信制御システム２００の判断制御部１１１は、上述のステップｓ３００を実行し、これにより、ＧＰＳモジュール１１７から得られた無線端末１１の位置情報をエリア分布情報テーブル１２５に照合し、当該無線端末１１がＳＲ通信またはＣＲ通信の通信エリア３０の圏内を示すものであった場合（ｓ４０１：ｙ）、タイマー１１４を始動する（ｓ４０２）。
【０１０２】
なお、ステップｓ４００の処理は、スピーカーマイク１１３の押下に関わらず、ＧＰＳモジュール１１４から無線端末１１の位置情報が送られてきた場合に実行するとしても良い。
【０１０３】
判断制御部１１１は、タイマー１１４における所定時間の満了時点で、無線端末１１の位置情報を上述のＧＰＳモジュール１１７から再度取得し、エリア分布情報テーブル１２５に再び照合する（ｓ４０３）。この照合で得た照合結果が、ＳＲ通信またはＣＲ通信の通信エリア３０の「圏内」を再び示すものであった場合（ｓ４０４：ｙ）、判断制御部１１１は、スピーカーマイク１１３の押下が解かれて通話終了となった時点、或いは無音時間が継続した時点を、例えば、携帯電話モジュール１１６の稼働状況を監視して検知し（ｓ４０５）、該当時点で、使用する通信モジュールを携帯電話モジュール１１６から、主たる通信モジュールたるＳＲ／ＣＲ通信モジュール２２０に復帰させるべく、切換制御部１１０に指示する（ｓ４０６）。
【０１０４】
一方、切換制御部１１０は、上述の指示を受けてＳＲ／ＣＲ通信モジュール２２０とスピーカーマイク１１３の間のインターフェイス１１９Ａをアクティブにして、スピーカーマイク１１３をＳＲ／ＣＲ通信モジュール２２０に接続する（ｓ４０７）。その後、ＳＲ／ＣＲ通信モジュール２２０は、基地局３５を介した基地局３５ないし他の無線端末との所定の接続確立処理を実行し、無線端末１１と基地局３５ないし他の無線端末との間の無線通信による通話を実行することとなる。
【０１０５】
上述のステップｓ４０４において、判定結果がＳＲ通信またはＣＲ通信の通信エリア３０の「圏内」を再び示すものであった場合、判断制御部１１１は、上述のステップｓ４０５に代えて、ＳＲ通信またはＣＲ通信の通信エリア３０の「圏内」となった旨を、携帯電話モジュール１１６を用いて指令局１３に通知する処理を実行するとしてもよい。この場合、判断制御部１１１は、当該通知を受けた指令局１３から、携帯電話モジュール１１６での無線通信終了指示を受信し、携帯電話モジュール１１６を用いた無線通信の終了指示と、使用する通信モジュールの、携帯電話モジュール１１６からＳＲ／ＣＲ通信モジュール２２０への復帰指示を切換制御部１１０に通知する。
【０１０６】
この場合、切換制御部１１０は、上述の各指示を受け、携帯電話モジュール１１６とスピーカーマイク１１３の間のインターフェイス１１９Ｂを非アクティブとし、更に、ＳＲ／ＣＲ通信モジュール２２０とスピーカーマイク１１３の間のインターフェイス１１９Ａをアクティブにして、スピーカーマイク１１３をＳＲ／ＣＲ通信モジュール２２０に接続する。その後、ＳＲ／ＣＲ通信モジュール２２０は、基地局３５を介した基地局３５ないし他の無線端末との所定の接続確立処理を実行し、無線端末１１と基地局３５ないし他の無線端末との間の無線通信による通話を実行することとなる。
【０１０７】
また、各実施形態にて示したタイマー１１４は、判断制御部１１１によって、その満了時間が制御されるものとすれば好適である。この場合、判断制御部１１１が、移動局１０の移動速度を検知している車両（無線端末１１を搭載している自動車等）の制御コンピュータやセンサ類（元々、車両に備わり、車速を検知しているチップ等）と適宜なネットワークで結ばれたシステム構成とする。判断制御部１１１は、移動局１０の移動速度の値を上述の制御コンピュータ等から取得し、記憶部１０１に予め保持している所定閾値と比較するなどして、移動速度が閾値以上であればタイマー１１４の満了時間をデフォルト値より一定幅で短縮し、逆に、移動速度が閾値より小さければタイマー１１４の満了時間をデフォルト値より一定幅で拡大する、といった処理を実行する。或いは、一定時間あたりの加速度の変化すなわち加速度の大きさに応じて、該当加速度が閾値以上であればタイマー１１４の満了時間をデフォルト値より一定幅で短縮し、逆に、加速度が閾値より小さければタイマー１１４の満了時間をデフォルト値より一定幅で拡大する、といった処理を実行するとしてもよい。なお、判断制御部１１１は、上述のタイマー１１４の満了時間の制御処理を、移動速度の変化が検知された時点または一定時間毎に実行する。
【０１０８】
以上、本発明を実施するための最良の形態などについて具体的に説明したが、本発明はこれに限定されるものではなく、その要旨を逸脱しない範囲で種々変更可能である。
【０１０９】
こうした各実施形態によれば、電波環境や無線端末の移動状況に応じた的確で効率的な無線伝送路の選択を行い、良好な通信品質を広範なエリアで確立可能となる。
【符号の説明】
【０１１０】
１０  移動局（自動車）
１１  無線端末
１２  中継局
１３  指令局
１４  携帯電話網基地局
１５  ｅハイブリッドステーション
２０  ＭＣＡ通信エリア
２５  携帯電話網エリア
３０  ＳＲ通信エリアまたはＣＲ通信エリア
３５  基地局
１００、２００  移動通信制御システム
１０１  記憶部
１０２  プログラム
１０３  メモリ
１０４  演算部
１０５  インターフェイス部
１１０  切換制御部
１１１  判断制御部
１１２  位置情報部
１１３  操作・表示部
１１４  タイマー
１１５  ＭＣＡ通信モジュール（主たる通信モジュール）
１１６  携帯電話モジュール（補助通信モジュール）
１１７  ＧＰＳモジュール
１１８  ＧＰＳアンテナ
１１９  インターフェイス
１２０  ＳＲ通信モジュール
１２５  エリア分布情報テーブル
２２０  ＳＲ／ＣＲ通信モジュール（ＳＲ通信モジュール、ＣＲ通信モジュール）
【図２Ａ】
2015019121.tif 000003
【図２Ｂ】
2015019121.tif 000004
【図３】
2015019121.tif 000005
【図４】
2015019121.tif 000006
【図５】
2015019121.tif 000007
【図８Ａ】
2015019121.tif 000008
【図８Ｂ】
2015019121.tif 000009
【図９】
2015019121.tif 000010
【図１０】
2015019121.tif 000011
【図１２】
2015019121.tif 000012
【図１】
2015019121.tif 000013
【図６】
2015019121.tif 000014
【図７】
2015019121.tif 000015
【図１１】
2015019121.tif 000016
【図１３】
2015019121.tif 000017
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御するシステムであって、
主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、
前記再度取得したデータが前記通信エリアの圏内を示すものであった場合、前記主たる通信モジュールから前記補助通信モジュールへの切換を行わずに、前記主たる通信モジュールのまま無線通信を実行し、
前記再度取得したデータが前記通信エリアの圏外を示すものであった場合、前記主たる通信モジュールから前記補助通信モジュールに切り換えて無線通信を実行し、
前記切り換えによる補助通信モジュールでの無線通信の実行後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させる演算部を備えることを特徴とする移動通信制御システム。
【請求項２】
前記主たる通信モジュールが、ＭＣＡ通信エリアの中継局にアクセスして指令局ないし他の無線端末と無線通信を行うＭＣＡ通信モジュールであることを特徴とする請求項１に記載の移動通信制御システム。
【請求項３】
前記主たる通信モジュールが、ＳＲ通信に関する通信エリアの基地局にアクセスして基地局と無線通信を行う通信モジュールであることを特徴とする請求項１に記載の移動通信制御システム。
【請求項４】
通信時のみ主たる通信システムのＳＲ通信ないしＣＲ通信の通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御するシステムであって、
地図上における前記通信エリアの分布情報を格納した記憶部と、
所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、
前記再度の照合による照合結果が、前記通信エリアの圏内を示すものであった場合、前記主たる通信モジュールから前記補助通信モジュールへの切換を行わずに、前記主たる通信モジュールのまま無線通信を実行し、
前記再度の照合による照合結果が、前記通信エリアの圏外を示すものであった場合、前記主たる通信モジュールから前記補助通信モジュールに切り換えて無線通信を実行し、
前記切り換えによる補助通信モジュールでの無線通信の実行後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた携帯電話網での無線通信を終了させ、以降使用する通信モジュールを前記補助通信モジュールから前記主たる通信モジュールに復帰させる演算部と、
を備えることを特徴とする移動通信制御システム。
【請求項５】
主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置が、
主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、
前記再度取得したデータが前記通信エリアの圏内を示すものであった場合、前記主たる通信モジュールから前記補助通信モジュールへの切換を行わずに、前記主たる通信モジュールのまま無線通信を実行し、
前記再度取得したデータが前記通信エリアの圏外を示すものであった場合、前記主たる通信モジュールから前記補助通信モジュールに切り換えて無線通信を実行し、
前記切り換えによる補助通信モジュールでの無線通信の実行後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させる、
ことを特徴とする移動通信制御方法。
【請求項６】
通信時のみ主たる通信システムのＳＲ通信ないしＣＲ通信の通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置が、
所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、
前記再度の照合による照合結果が、前記通信エリアの圏内を示すものであった場合、前記主たる通信モジュールから前記補助通信モジュールへの切換を行わずに、前記主たる通信モジュールのまま無線通信を実行し、
前記再度の照合による照合結果が、前記通信エリアの圏外を示すものであった場合、前記主たる通信モジュールから前記補助通信モジュールに切り換えて無線通信を実行し、
前記切り換えによる補助通信モジュールでの無線通信の実行後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた携帯電話網での無線通信を終了させ、以降使用する通信モジュールを前記補助通信モジュールから前記主たる通信モジュールに復帰させる、
ことを特徴とする移動通信制御方法。
【請求項７】
主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置に、
主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得する処理と、
前記再度取得したデータが前記通信エリアの圏内を示すものであった場合、前記主たる通信モジュールから前記補助通信モジュールへの切換を行わずに、前記主たる通信モジュールのまま無線通信を実行する処理と、
前記再度取得したデータが前記通信エリアの圏外を示すものであった場合、前記主たる通信モジュールから前記補助通信モジュールに切り換えて無線通信を実行する処理と、
前記切り換えによる補助通信モジュールでの無線通信の実行後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させる処理と、
を実行させることを特徴とする移動通信制御プログラム。
【請求項８】
通信時のみ主たる通信システムのＳＲ通信ないしＣＲ通信の通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置に、
所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合する処理と、
前記再度の照合による照合結果が、前記通信エリアの圏内を示すものであった場合、前記主たる通信モジュールから前記補助通信モジュールへの切換を行わずに、前記主たる通信モジュールのまま無線通信を実行する処理と、
前記再度の照合による照合結果が、前記通信エリアの圏外を示すものであった場合、前記主たる通信モジュールから前記補助通信モジュールに切り換えて無線通信を実行する処理と、
前記切り換えによる補助通信モジュールでの無線通信の実行後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた携帯電話網での無線通信を終了させ、以降使用する通信モジュールを前記補助通信モジュールから前記主たる通信モジュールに復帰させる処理と、
を実行させることを特徴とする移動通信制御プログラム。
【手続補正２】
【補正対象書類名】明細書
【補正対象項目名】０００７
【補正方法】変更
【補正の内容】
【０００７】
上記課題を解決する本発明の移動通信制御システムは、主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御するシステムであって、主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、前記再度取得したデータが前記通信エリアの圏内を示すものであった場合、前記主たる通信モジュールから前記補助通信モジュールへの切換を行わずに、前記主たる通信モジュールのまま無線通信を実行し、前記再度取得したデータが前記通信エリアの圏外を示すものであった場合、前記主たる通信モジュールから前記補助通信モジュールに切り換えて無線通信を実行し、前記切り換えによる補助通信モジュールでの無線通信の実行後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させる演算部を備えることを特徴とする。
【手続補正３】
【補正対象書類名】明細書
【補正対象項目名】０００８
【補正方法】変更
【補正の内容】
【０００８】
また、上述の移動通信制御システムにおいて、前記主たる通信モジュールが、ＭＣＡ通信エリアの中継局にアクセスして指令局ないし他の無線端末と無線通信を行うＭＣＡ通信モジュールであるとしてもよい。
【手続補正４】
【補正対象書類名】明細書
【補正対象項目名】０００９
【補正方法】変更
【補正の内容】
【０００９】
また、上述の移動通信制御システムにおいて、前記主たる通信モジュールが、ＳＲ通信に関する通信エリアの基地局にアクセスして基地局と無線通信を行う通信モジュールであるとしてもよい。
【手続補正５】
【補正対象書類名】明細書
【補正対象項目名】００１０
【補正方法】変更
【補正の内容】
【００１０】
また、本発明の移動通信制御システムは、通信時のみ主たる通信システムのＳＲ通信ないしＣＲ通信の通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御するシステムであって、地図上における前記通信エリアの分布情報を格納した記憶部と、所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、前記再度の照合による照合結果が、前記通信エリアの圏内を示すものであった場合、前記主たる通信モジュールから前記補助通信モジュールへの切換を行わずに、前記主たる通信モジュールのまま無線通信を実行し、前記再度の照合による照合結果が、前記通信エリアの圏外を示すものであった場合、前記主たる通信モジュールから前記補助通信モジュールに切り換えて無線通信を実行し、前記切り換えによる補助通信モジュールでの無線通信の実行後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた携帯電話網での無線通信を終了させ、以降使用する通信モジュールを前記補助通信モジュールから前記主たる通信モジュールに復帰させる演算部とを備えることを特徴とする。
【手続補正６】
【補正対象書類名】明細書
【補正対象項目名】００１１
【補正方法】変更
【補正の内容】
【００１１】
また、本発明の移動通信制御方法は、主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置が、主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得し、前記再度取得したデータが前記通信エリアの圏内を示すものであった場合、前記主たる通信モジュールから前記補助通信モジュールへの切換を行わずに、前記主たる通信モジュールのまま無線通信を実行し、前記再度取得したデータが前記通信エリアの圏外を示すものであった場合、前記主たる通信モジュールから前記補助通信モジュールに切り換えて無線通信を実行し、前記切り換えによる補助通信モジュールでの無線通信の実行後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させる、ことを特徴とする。
【手続補正７】
【補正対象書類名】明細書
【補正対象項目名】００１２
【補正方法】変更
【補正の内容】
【００１２】
また、本発明の移動通信制御方法は、通信時のみ主たる通信システムのＳＲ通信ないしＣＲ通信の通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置が、所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合し、前記再度の照合による照合結果が、前記通信エリアの圏内を示すものであった場合、前記主たる通信モジュールから前記補助通信モジュールへの切換を行わずに、前記主たる通信モジュールのまま無線通信を実行し、前記再度の照合による照合結果が、前記通信エリアの圏外を示すものであった場合、前記主たる通信モジュールから前記補助通信モジュールに切り換えて無線通信を実行し、前記切り換えによる補助通信モジュールでの無線通信の実行後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた携帯電話網での無線通信を終了させ、以降使用する通信モジュールを前記補助通信モジュールから前記主たる通信モジュールに復帰させる、ことを特徴とする。
【手続補正８】
【補正対象書類名】明細書
【補正対象項目名】００１３
【補正方法】変更
【補正の内容】
【００１３】
また、本発明の移動通信制御プログラムは、主たる通信システムの通信エリアにおける中継局にアクセスして指令局ないし他の無線端末と無線通信を行う主たる通信モジュールと、携帯電話網エリアの基地局にアクセスして指令局ないし他の無線端末と無線通信を行う補助通信モジュールとを備える無線端末を制御する情報処理装置に、主たる通信モジュールが出力した、前記通信エリアの圏内／圏外を示すデータを得て、当該データが前記通信エリアの圏外を示すものであった場合に、所定のタイマーを始動し、当該タイマーにおける所定時間の満了時点で、前記通信エリアの圏内／圏外を示すデータを主たる通信モジュールから再度取得する処理と、前記再度取得したデータが前記通信エリアの圏内を示すものであった場合、前記主たる通信モジュールから前記補助通信モジュールへの切換を行わずに、前記主たる通信モジュールのまま無線通信を実行する処理と、前記再度取得したデータが前記通信エリアの圏外を示すものであった場合、前記主たる通信モジュールから前記補助通信モジュールに切り換えて無線通信を実行する処理と、前記切り換えによる補助通信モジュールでの無線通信の実行後、前記通信エリアについて前記主たる通信モジュールから得た圏内／圏外を示すデータが前記通信エリアの圏内を示すものとなった場合、所定のタイマーを始動し、当該タイマーにおける所定時間の満了時点で、前記通信エリアの圏内／圏外を示すデータを前記主たる通信モジュールから再度取得し、該当データが前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた無線通信を終了させ、以降使用する通信モジュールを前記補助通信モジュールから前記主たる通信モジュールに復帰させる処理と、を実行させることを特徴とする。
【手続補正９】
【補正対象書類名】明細書
【補正対象項目名】００１４
【補正方法】変更
【補正の内容】
【００１４】
また、本発明の移動通信制御プログラムは、通信時のみ主たる通信システムのＳＲ通信ないしＣＲ通信の通信エリアにおける基地局ないし他の無線端末にアクセスして基地局ないし他の無線端末と無線通信を行う主たる通信モジュールと、携帯電話網エリアの基地局にアクセスして指令局ないし他の無線端末と無線通信を行う補助通信モジュールとを備える無線端末を制御すべく、地図上における前記通信エリアの分布情報を格納した記憶部を備えた情報処理装置に、所定のＧＰＳモジュールから得た当該無線端末の位置情報を前記記憶部の分布情報に照合し、当該無線端末が前記通信エリアの圏外を示すものであった場合に、所定のタイマーを始動し、当該タイマーにおける所定時間の満了時点で、当該無線端末の位置情報を前記分布情報に再び照合する処理と、前記再度の照合による照合結果が、前記通信エリアの圏内を示すものであった場合、前記主たる通信モジュールから前記補助通信モジュールへの切換を行わずに、前記主たる通信モジュールのまま無線通信を実行する処理と、前記再度の照合による照合結果が、前記通信エリアの圏外を示すものであった場合、前記主たる通信モジュールから前記補助通信モジュールに切り換えて無線通信を実行する処理と、前記切り換えによる補助通信モジュールでの無線通信の実行後、前記照合を再び行って、当該照合結果が前記通信エリアの圏内を示すものとなった場合、所定のタイマーを始動し、当該タイマーにおける所定時間の満了時点で得た、再度の前記照合による照合結果が、前記通信エリアの圏内を再び示すものであった場合に、その旨を補助通信モジュールを用いて指令局に通知し、当該通知を受けた指令局から、補助通信モジュールでの無線通信終了指示を受信して、前記補助通信モジュールを用いた携帯電話網での無線通信を終了させ、以降使用する通信モジュールを前記補助通信モジュールから前記主たる通信モジュールに復帰させる処理と、を実行させることを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】